(57)【特許請求の範囲】
【請求項１】
屋根上の雪をせき止める雪止め部と、屋根の固定箇所に固定する固定部とから成る雪止め金具において、前記雪止め部は、一本の線材を折曲して中心部が開口する額縁形に形成され、この雪止め部を構成する線材の両端部を挿通可能な取付孔が板状の前記固定部に形成され、この固定部に前記線材の両端部を沿設させると共に、この両端部を前記取付孔に挿通し折曲してこの折曲端を固定部に沿設させることにより、この両端部の前記取付孔に挿通する前の沿設部と取付孔に挿通した後の折曲沿設部との間に固定部が配設されて、この両端部が前記固定部に止着されていることを特徴とする雪止め金具。
【発明の詳細な説明】
【技術分野】
【０００１】
本発明は、屋根用の雪止め金具に関するものである。
【背景技術】
【０００２】
降雪地域の家屋の屋根には、屋根からの雪の滑落による災害等を防止するために雪止め金具が設置されている。
【０００３】
また、この種の雪止め金具としては、例えば、屋根の適宜な固定箇所に固定可能な固定部の軒先側端部に、雪止め機能を有する平板状の羽根板が立設状態に設けられているものがある（例えば、特許文献１参照。）。
【先行技術文献】
【特許文献】
【０００４】
【特許文献１】特開２００３−１９３６４３号公報
【発明の概要】
【発明が解決しようとする課題】
【０００５】
近年は、異常気象により普段降雪がないような地域でも大雪に見舞われることがあるため、万一に備えて非降雪地域でも家屋に雪止め金具を設置することが望ましい。
【０００６】
しかしながら、非降雪地域では、屋根の体裁（美観）が損なわれるとして雪止め金具の設置は嫌厭される傾向にある。
【０００７】
そこで、羽根板のサイズを小型化して屋根上で目立たないようにすることを考えたが、小型化によって低下する雪止め機能を補うために数を多く設置する必要性が生じ、結局多数の羽根板が屋根上で目立ってしまうことになるので得策ではなかった。
【０００８】
また、羽根板に屋根の色に合わせた塗装を施して目立たないようにすることも行われているが、羽根板の影が屋根上にできることで結局目立ってしまっていた。
【０００９】
本発明は、このような現状に鑑みて研究・検討を重ねた末に開発されたもので、設置しても屋根上でその存在がほとんど目立たず、屋根の体裁が良好に保たれ、尚且つ雪止め効果の向上も期待できる雪止め金具を提供するものである。
【課題を解決するための手段】
【００１０】
添付図面を参照して本発明の要旨を説明する。
【００１１】
屋根１上の雪をせき止める雪止め部２と、屋根１の固定箇所に固定する固定部３とから成る雪止め金具Ａにおいて、前記雪止め部２は、一本の線材４を折曲して中心部が開口する額縁形に形成され、この雪止め部２を構成する線材４の両端部５を挿通可能な取付孔６が板状の前記固定部３に形成され、この固定部３に前記線材４の両端部５を沿設させると共に、この両端部５を前記取付孔６に挿通し折曲してこの折曲端を固定部３に沿設させることにより、この両端部５の前記取付孔６に挿通する前の沿設部と取付孔６に挿通した後の折曲沿設部との間に固定部３が配設されて、この両端部５が前記固定部３に止着されていることを特徴とする雪止め金具に係るものである。
【発明の効果】
【００１２】
本発明は上述のように構成したから、中心部が開口する額縁形の雪止め部を介して雪止め部後方の屋根を視認することができ、屋根を遮るようにして羽根板が屋根上に見える従来の雪止め金具とは異なり、額縁形の雪止め部が屋根上で目立たず、屋根上にできる雪止め部の影も額縁状であるため目立ちにくく、従って屋根の体裁が良好に保たれることとなり、しかも雪止め部の中心部（開口部）を介して雪止め部前後の雪が結合し易く、この積雪同士の結合力により既存の羽根板付雪止め金具以上の雪止め効果が期待できるなど、極めて実用性に優れた雪止め金具となる。
【００１３】
また、本発明は、雪止め部が一本の線材を折曲して額縁状に形成されているから、細額縁形の雪止め部が屋根上で目立たず、雪止め部の影も目立たず屋根の体裁が一層良好となると共に、雪止め部が大きく開口するから、大きな開口部を介して雪止め部前後の雪が一層結合し易く、この雪同士の結合による雪止め効果も一層の向上を期待でき、しかも、一本の線材、即ち一部品で雪止め部を構成するので、部品コスト安となり、金属曲げ加工等の既存の簡易加工技術を利用して雪止め部を容易に設計実現可能で、曲げ加工により雪止め部の強度も向上することとなるなど、極めて実用性に優れた構成の雪止め金具となる。
【００１４】
また、本発明は、雪止め部を構成する線材の両端部を固定部に沿設させると共に、この両端部を固定部に形成された取付孔に挿通し折曲してこの折曲端を固定部に沿設させ、この両端部の前記取付孔に挿通する前の沿設部と取付孔に挿通した後の折曲沿設部との間に固定部が配設されることによってこの両端部が固定部に止着されているから、雪止め部を固定部に容易に止着できる一層実用性に優れた構成の雪止め金具となる。
【図面の簡単な説明】
【００１５】
【図１】実施例１を屋根に固定しようとする様子を示す斜視図である。
【図２】実施例１の使用状態を示す説明側面図並びに実施例１の部分拡大側断面図である。
【図３】実施例１の使用状態を示す概略説明正面図である。
【図４】実施例２を屋根に固定しようとする様子を示す斜視図である。
【図５】実施例２の使用状態を示す説明側面図並びに実施例２の部分拡大側断面図である。
【図６】実施例２の使用状態を示す概略説明正面図である。
【図７】実施例３を示す斜視図である。
【発明を実施するための形態】
【００１６】
好適と考える本発明の実施形態を、図面に基づいて本発明の作用を示して簡単に説明する。
【００１７】
固定部３を屋根１の適宜な固定箇所に固定することで、本発明の雪止め金具Ａを屋根１上に設置できる。
【００１８】
屋根１上に設置された本発明の雪止め金具Ａは、中心部が開口する額縁形の雪止め部２（の開口部７）を介して、雪止め部２後方の屋根１を視認することができる。
【００１９】
従って、屋根１を所々遮るようにして羽根板が屋根１上に見えてしまう従来の雪止め金具Ａとは異なり、後方の屋根１が遮られずに見えることによって額縁形の雪止め部２が屋根１上で目立たず、屋根１の体裁が良好に保たれる。
【００２０】
また、雪止め部２の影が屋根１上にできるが、その影も額縁形であるため、屋根１上に大きな影ができず（影のできる範囲が小さく）、目立ちにくい。
【００２１】
また、雪止め部２で屋根１上の雪がせき止められるが、雪止め部２前後の雪が開口部７を介して結合し易い。即ち、既存の羽根板を有する雪止め金具は、羽根板によってその前後の雪が分断されてしまうので、屋根１の勾配下方側に存する雪が滑落し易かったが、雪止め部２前後の雪が結合し易い本発明は、この雪止め部２前後の雪同士の結合力によって屋根１勾配下方側に存する雪の滑落を生じにくくなるため、既存の羽根板付雪止め金具以上の雪止め効果が期待できる。
【００２２】
また、例えば、前記雪止め部２は、一本の線材４を折曲して額縁形に形成され、この雪止め部２を構成する線材４の両端部５が、前記固定部３に止着されている構成を採用することもできる。
【００２３】
このように構成した場合には、雪止め部２が細額縁形となり、この雪止め部７中心の開口部７も一層大きく開口することになる。従って、雪止め部２が屋根１上で一層目立たず、屋根１上にできる雪止め部２の影も一層目立たなくなるため、屋根１の体裁が極めて良好となり、且つ大きく開口する開口部７を介して雪止め部２前後の雪同士がより結合し易くなるので、雪止め効果も一層の向上が期待できる。
【００２４】
また、一部品（一本の線材４）を折曲して雪止め部２を構成するので、部品コスト安であると共に、金属曲げ加工等の既存の簡易加工技術を利用して前記雪止め部２を容易に設計実現可能であり、尚且つ曲げ加工によって構成された雪止め部２は、強度も向上することとなる。
【００２５】
また、雪止め部２が、一本の線材４を折曲して額縁形に形成されている場合は、例えば、前記固定部３に、前記線材４の両端部５を挿通可能な取付孔６が形成されており、この取付孔６に挿通した前記両端部５を折曲することによりこの両端部５が前記固定部３に止着されている構成を採用することもできる。
【００２６】
このように構成した場合には、線材４の両端部５を、固定部３の取付孔６に挿通して曲げ加工を施すだけで、雪止め部２を固定部３に止着できる。
【実施例１】
【００２７】
本発明の具体的な実施例１について図１〜図３に基づいて説明する。
【００２８】
本実施例は、横葺屋根１用の雪止め金具Ａに適用したもので、屋根１上の雪をせき止める金属製の雪止め部２と、屋根１の固定箇所に固定する金属製の固定部３とから成るものとされている。
【００２９】
また、図１，図２に示すように、固定部３は帯板状に形成され、その中ほどが横葺屋根板８の屋根１勾配方向の両端部（軒側端部と棟側端部）に設けられた接合用折り返し部９に重合させる折り返し重合部10に形成されていると共に、この固定部３の基端側（屋根１棟側に配する後端側）に、屋根板８下方の下地材11に釘12止めするための釘孔13が貫通形成されて横葺屋根１に固定し得るように構成されており、この固定部３の先端側（屋根１軒側に配する前端側）に前記雪止め部２が止着されている。尚、この固定部３は、本実施例で示した横葺屋根１固定用に限らず、折板屋根用や縦葺屋根用や他の屋根用等にも適宜設計変更可能である。
【００３０】
本実施例の雪止め部２は、その中心部が開口する額縁形に形成されている。
【００３１】
具体的には、雪止め部２は、図１に示すように、一本の金属製線材４を折曲することによって高さのない横長の方形枠状の額縁体に形成され、この雪止め部２を構成する線材４の両端部５が、雪止め部２の下部であって雪止め部２の横方向の略中間位置に配設する形状に形成されている。
【００３２】
また、この線材４の両端部５は、夫々が平面視で後方（本雪止め金具Ａの基端側）へ向かって傾斜突出する形状（両端部５の対向間隔が後方側ほど狭まる傾斜突出形状）に折曲されてその折曲両先端が小間隔を置いた対設状態となるように形成され、この後方へ折曲突出する両端部５の両先端を前記固定部３の先端側に止着することにより、雪止め部２が固定部３の先端部に立設状態に設けられている。このように線材４の両端部５を後方へ傾斜突出する形状に形成してこの両端部５が固定部３に固定される構造の雪止め部２とすると、後述する実施例２及び実施例３の雪止め部２の構造に比して強度的に有利となり、雪止め効果の高い雪止め部２となることが出願人の試作実験により確認されている。
【００３３】
また、この線材４の両端部５の前記固定部３への止着構造は、両端部５の両先端を、前記固定部３に形成した取付孔６に挿通した上でこの両先端を固定部３の先端側へ折曲することにより、この両端部５が前記固定部３に止着されている。
【００３４】
更に詳しくは、固定部３の先端側の左右位置に、前記両端部５の両先端の対設間隔に対応する左右間隔を置いて固定部３を上下方向に貫通する前記取付孔６が形成されており、図２に示すように、この左右の取付孔６に固定部３の下方から両端部５の両先端が挿通された上で、この両先端が側面視Ｕ字状に折曲され、このＵ状折り返し部より先端側を固定部３の先端側の上面に沿設当接させ、Ｕ状折り返し部より基端側を固定部３の先端側の下面に沿設当接させることによって、左右の取付孔６に対し両端部５を抜け止め状態とすると共に、固定部３に対し両端部５（雪止め部２）を位置決め状態に止着する構造とされている。
【００３５】
このように構成した本実施例の雪止め金具Ａを、固定部３を介して屋根１に設置すると、図３に示すように、中心部が大きく開口する額縁形の雪止め部２（の開口部７）を介して雪止め部２後方の屋根１を視認することができ、これにより額縁形の雪止め部２が屋根１上で目立たず、また、その影も屋根１上に目立たない細額縁形に現れるにすぎない（影の現れる範囲が非常に小さくとどまる）ため、あたかも雪止め部２の存在がないかのようにも見えて屋根１の体裁（美観）が良好に保たれる。
【００３６】
また、雪止め部２で屋根１上の雪がせき止められるが、雪止め部２前後の雪が開口部７を介して結合し易く、この雪止め部２前後の雪同士の結合力によって屋根１勾配下方側に存する雪の滑落を生じにくくなり、既存の羽根板付雪止め金具以上の雪止め効果が期待できる。
【００３７】
即ち、既存の羽根板付雪止め金具は、羽根板によってその前後の雪が分断されてしまうので、羽根板より屋根の勾配下方側に存する雪が滑落し易く、雪止め金具が構造的に脆弱な（重みに弱い）屋根軒先を避けた軒先より内側（屋根勾配上方側）に配置されることもあって、軒先から多めに落雪が発生する場合があったが、本実施例によれば、雪止め部２前後の雪同士の結合力によって雪止め部２より屋根１勾配下方側に存する雪の滑落を生じにくくなる。
【００３８】
また、一部品（一本の線材４）を折曲して雪止め部２が構成されているので、部品コスト安であると共に、金属曲げ加工等の既存の簡易加工技術を利用して雪止め部２を容易に設計実現可能であり、更に、雪止め部２を構成する線材４の両端部５を、固定部３に形成した取付孔６に挿通し、この取付孔６に挿通した線材４の両端部５を折曲することによってこの折曲両端部５が前記固定部３に止着されるため、溶接等の面倒な止着作業を行うまでもなく（溶接等を行っても良いが）、雪止め部２を構成する一本の線材４の両端部５を、固定部３の取付孔６に挿通して折曲するだけの簡易作業により雪止め部２を固定部３に止着できる。
【実施例２】
【００３９】
本発明の具体的な実施例２について図４〜図６に基づいて説明する。
【００４０】
本実施例は、前記実施例１において、雪止め部２の両端部５の形状を異ならせた場合である。
【００４１】
具体的には、本実施例の雪止め部２は、図４に示すように、一本の金属製線材４を折曲することによって前記実施例１と同様の高さのない横長の方形枠状の額縁体に形成されているが、この雪止め部２を構成する線材４の両端部５は、雪止め部２の下部であって雪止め部２の横方向の略中間位置から夫々が水平後方へ折曲されてその折曲両端が小間隔を置いた平行並設状態で延設突出するように形成されている。そして、この後方へ折曲突出する両端部５を、前記実施例１と同様の止着構造によって前記固定部３の先端側に止着することにより、雪止め部２が固定部３の先端部に立設状態に設けられている。
【００４２】
他の構成は、前記実施例１と同様である。
【実施例３】
【００４３】
本発明の具体的な実施例３について図７に基づいて説明する。
【００４４】
本実施例は、前記実施例２において、雪止め部２の形状を異ならせた場合である。
【００４５】
具体的には、本実施例の雪止め部２は、上側縁枠部の形状が、その中間位置が最も上方へ凸となる湾曲枠状に形成されている場合である。
【００４６】
尚、請求項１中の「額縁形」なる記載は、前記実施例１，２で示した方形枠状に限らず、この実施例３で示した一部が湾曲状となる枠形や楕円枠形等の変形の額縁形をも含む意味合いで用いている。
【００４７】
他の構成は、前記実施例２と同様である。
【００４８】
尚、本発明は、実施例１〜３に限られるものではなく、各構成要件の具体的構成は適宜設計し得るものである。
【符号の説明】
【００４９】
１  屋根
２  雪止め部
３  固定部
４  線材
５  端部
６  取付孔
Ａ  雪止め金具
【図１】
0006517712.tif 000002
【図２】
0006517712.tif 000003
【図３】
0006517712.tif 000004
【図４】
0006517712.tif 000005
【図５】
0006517712.tif 000006
【図６】
0006517712.tif 000007
【図７】
0006517712.tif 000008